【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
患者内に配置するための埋め込み可能カプセル（１８）を運搬するように構成される細長いプローブ（２６）と、
前記カプセルを前記患者内の組織に固定するように構成される固定要素（１１２）と、
真空チャンバと、
前記カプセルを前記プローブから放出するように構成される放出機構（８２）と、
作動装置の第１の動作の間に、前記固定要素により前記カプセルが前記組織に固定されるように前記固定要素を作動させ、そして、前記作動装置の第２の動作の間に、前記真空チャンバに通気して前記カプセルを前記プローブから放出するように前記放出機構を作動させるように構成される作動装置（１２５）と、
を備える装置。
【請求項２】
前記第１の動作および前記第２の動作が、実質的に反対方向の動作を含む、請求項１に記載の装置。
【請求項３】
前記作動装置が、前方への動作の間に前記固定要素を作動させ、そして、後方への動作の間に前記放出機構を作動させる、請求項２に記載の装置。
【請求項４】
前記第１の動作および前記第２の動作が、実質的に同じ方向の動作を含む、請求項１に記載の装置。
【請求項５】
前記作動装置が、第１の位置までの前記作動装置の前方への動作の間に、前記固定要素を作動させ、そして、第２の位置までの前記作動装置の前方への動作の間に、前記放出機構を作動させる、請求項４に記載の装置。
【請求項６】
駆動線と連結して、前記第１および第２の動作において前記駆動線を駆動する駆動線アダプター（７２）であって、当該駆動線アダプターは、第１の直径の第１の部分と、第２の直径の第２の部分とを備え、前記第１の部分は、前記第２の部分より大きい直径を有する、駆動線アダプター（７２）と、
前記駆動線アダプターを収めるための中央開口部を備える真空シール（７５）であって、前記駆動線アダプターの前記第１の部分は、前記第１の動作の間、前記中央開口部に収められ、前記駆動線アダプターの前記第２の部分は、前記第２の動作の間、前記中央開口部に収められる、真空シール（７５）と、
前記駆動線アダプターの前記第１の部分が、前記中央開口部に収められる場合に形成され、前記駆動線の前記第２の部分が、前記中央開口部に収められる場合に通気される、真空チャンバと、
をさらに備える、請求項１に記載の装置。
【請求項７】
真空に連結する真空インレット（５２）をさらに備え、前記装置が、吸引を与えて、前記組織を前記カプセルの空隙に引き込むように構成される、請求項１に記載の装置。
【請求項８】
装置（２２）の作動装置（１２６）の第１の動作の間に、埋め込み可能カプセル（１８）を患者内の組織に固定する工程と、
前記作動装置の第２の動作の間に、真空チャンバに通気して前記カプセルを前記装置から放出する工程と、
を含む、方法。
【請求項９】
前記作動装置の前記第１の動作の間に、前記カプセルを前記組織に固定する工程が、前方への動作の間に、前記カプセルを前記組織に固定することを含み、
前記作動装置の前記第２の動作の間に、前記カプセルを前記装置から放出する工程が、後方への動作の間に、前記カプセルを前記装置から放出することを含む、請求項８に記載の方法。
【請求項１０】
前記カプセルを前記組織に固定する工程が、前記作動装置の前記第１の動作の間に、ロッキングピン（１０２）を、前記組織を通して前に進ませることを含む、請求項８に記載の方法。
【請求項１１】
前記カプセルがセンサを備え、さらに、
前記カプセルの前記センサを介して、前記患者の１つ以上のパラメータを測定する工程と、
前記カプセルから前記測定されたパラメータを受信機（２０）に送信する工程と、
を含む、請求項８に記載の方法。
【請求項１２】
前記組織が、食道を含む、請求項８に記載の方法。
【請求項１３】
前記組織に吸引を与え、前記組織の一部を前記カプセルの空隙（５４）に引き込む工程をさらに含み、前記カプセルを前記組織に固定する工程が、前記カプセルを、前記カプセルの前記空隙の中に引き込まれる前記組織の部分に固定することを含む、請求項８に記載の方法。
【請求項１４】
患者内に配置するための埋め込み可能カプセルを運搬するための手段と、
前記カプセルを前記患者内の組織に固定するための手段と、
真空チャンバに通気して前記運搬手段から前記カプセルを放出するための手段と、
作動手段の第１の動作の間に、前記カプセルを前記組織に固定するように前記固定手段を作動させ、そして、前記作動手段の第２の動作の間に、前記真空チャンバに通気して前記カプセルを前記運搬手段から放出するように前記放出手段を作動させるための手段と、
を含む、装置（２２）。
【請求項１５】
患者内に配置するための埋め込み可能カプセル（１８）を運搬するように構成される細長いプローブ（２６）と、
真空チャンバと、
前記カプセルを前記プローブおよび作動装置（１２６）から放出するように構成される放出機構（８２）と、
前記カプセルの送達を制御するための作動装置と、を備える送達器具と、
前記カプセルを前記患者内の組織に固定するように構成される固定要素（１１２）と、を含むシステムであって、前記作動装置が、前記作動装置の第１の動作の間に、前記固定要素により前記カプセルが前記組織に固定されるように前記固定要素を作動させ、そして、前記作動装置の第２の動作の間に、前記真空チャンバに通気して前記カプセルを前記プローブから放出するように前記放出機構を作動させるように構成される、システム。
【手続補正２】
【補正対象書類名】明細書
【補正対象項目名】０００７
【補正方法】変更
【補正の内容】
【０００７】
一実施形態において、装置は、患者内に配置するための埋め込み可能カプセルを運搬するように構成される細長いプローブと、患者内の組織にカプセルを固定するように構成される固定要素と、真空チャンバと、プローブからカプセルを放出するように構成される放出機構と、作動装置の第１の動作の間、固定要素によりカプセルが組織に固定されるように固定要素を作動させ、そして、作動装置の第２の動作の間、真空チャンバに通気してプローブからカプセルを放出するように放出機構を作動させるように構成される作動装置と、を備える。
【手続補正３】
【補正対象書類名】明細書
【補正対象項目名】０００８
【補正方法】変更
【補正の内容】
【０００８】
別の実施形態において、方法は、装置の作動装置の第１の動作の間、埋め込み可能カプセルを患者内の組織に固定する工程と、作動装置の第２の動作の間、真空チャンバに通気して装置からカプセルを放出する工程と、を含む。
【手続補正４】
【補正対象書類名】明細書
【補正対象項目名】０００９
【補正方法】変更
【補正の内容】
【０００９】
さらなる実施形態において、装置は、患者内に配置するための埋め込み可能カプセルを運搬するための手段と、カプセルを患者内の組織に固定するための手段と、真空チャンバに通気して運搬手段からカプセルを放出するための手段と、作動手段の第１の動作の間、カプセルを組織に固定するように固定手段を作動させ、そして、作動手段の第２の動作の間、真空チャンバに通気して運搬手段からカプセルを放出するように放出手段を作動させるための手段と、を含む。
【手続補正５】
【補正対象書類名】明細書
【補正対象項目名】００１０
【補正方法】変更
【補正の内容】
【００１０】
別の実施形態において、システムは、患者内に配置するための埋め込み可能カプセルを運搬するように構成される細長いプローブと、真空チャンバと、プローブおよび作動装置からカプセルを放出するように構成される放出機構と、カプセルの送達を制御するための作動装置と、を備える送達器具を含む。このシステムはさらに、カプセルを患者内の組織に固定するように構成される固定要素を含む。作動装置は、作動装置の第１の動作の間、固定要素によりカプセルが組織に固定されるように固定要素を作動させ、そして、作動装置の第２の動作の間、真空チャンバに通気してプローブからカプセルを放出するように放出機構を作動させるように構成される。